(57)【要約】      （修正有）【課題】収納室に収納された機能部材の施工性やメンテナンス性を向上させた小便器装置を提供する。【解決手段】スポンジ部材３０Ａ，３０Ｂは、小便器本体と壁面との間に設けられ、ボウル部後方収納室２０に収納された自動洗浄ユニット４等の機能部材の少なくとも一部よりも下方に設けられている。【選択図】図２
2019203340.tif 000002
【特許請求の範囲】
【請求項１】
使用者の尿を受けるボウル部と、前記ボウル部の上部且つ後方側に形成され、前記ボウル部に洗浄水を供給する機能部材を収納する収納室と、を有する小便器本体と、
前記小便器本体と壁面との間に設けられる弾性部材と、
を備えた小便器装置であって、
前記弾性部材は、前記収納室に収納された前記機能部材の少なくとも一部よりも下方に設けられることを特徴とする小便器装置。
【請求項２】
前記弾性部材は、前記小便器本体の背面に設けられる請求項１に記載の小便器装置。
【発明の詳細な説明】
【技術分野】
【０００１】
本発明は、使用者の尿を受ける小便器装置に関する。 
【背景技術】
【０００２】
従来、使用者の尿を受ける小便器装置として、ボウル部の上部且つ後方側に収納室が形成され、この収納室に機能部材を収納したものが知られている（例えば、特許文献１）。
【先行技術文献】
【特許文献】
【０００３】
【特許文献１】実開平５−６１２７５号公報
【発明の概要】
【発明が解決しようとする課題】
【０００４】
小便器本体がトイレルームの壁面付近まで近づけた状態で設置されている場合、小便器本体の収納室に収納した機能部材や、ボルト等の固定具、工具等が、施行時やメンテナンス時に便器本体とトイレルームの壁面との隙間から下方へ落下してしまうと、それらを拾い上げることが難しい。そのため、施工性やメンテナンス性に課題がある。
特に小便器本体が陶器製の場合、小便器本体がトイレルームの壁面に接するように設置したとしても、製造誤差によってどうしても小便器本体と壁面との間にわずかな隙間が生じてしまうことがあり、上述したような課題が生じてしまう。
【０００５】
本発明は、上述した問題を解決するためになされたものであり、収納室に収納された機能部材の施工性やメンテナンス性を向上させた小便器装置を提供することを目的とする。
【課題を解決するための手段】
【０００６】
本発明の一態様に係る小便器装置は、使用者の尿を受けるボウル部と、前記ボウル部の上部且つ後方側に形成され、前記ボウル部に洗浄水を供給する機能部材を収納する収納室と、を有する小便器本体と、前記小便器本体と壁面との間に設けられる弾性部材と、を備えた小便器装置であって、前記弾性部材は、前記収納室に収納された前記機能部材の少なくとも一部よりも下方に設けられることを特徴とする。
【０００７】
この構成によれば、弾性部材が小便器本体と壁面との間で潰されつつ小便器本体と壁面との間の隙間を埋めているため、小便器本体の収納室に収納された機能部材や、ボルト等の固定具、工具等が、施行時やメンテナンス時に便器本体とトイレルームの壁面との隙間から下方へ落下してしまうことを抑制することができ、施工性およびメンテナンス性を向上させることができる。また、小便器本体が壁面に衝突する前に弾性部材が衝撃を吸収することで、小便器本体や壁面に傷が付くことを抑制することができる。
【０００８】
本発明の一態様に係る小便器装置において、好ましくは、前記弾性部材は、前記小便器本体の背面に設けられる。
【０００９】
この構成によれば、壁面に弾性部材を設ける場合に比べて、弾性部材を正しい位置に設けやすくなる。
【発明の効果】
【００１０】
本発明の小便器装置によれば、収納室に収納された機能部材の施工性やメンテナンス性を向上させることができる。
【図面の簡単な説明】
【００１１】
【図１】本発明の一実施形態による小便器装置を示す側面断面図である。
【図２】本発明の一実施形態による小便器装置の上部を示す後方斜視図である。
【図３】本発明の一実施形態による小便器装置の上蓋を取り外した状態の上部を示す平面視図である。
【発明を実施するための形態】
【００１２】
以下、図面を参照して本発明の一実施形態による小便器装置について説明する。
まず、図１により、本発明の一実施液体による小便器装置の構成について説明する。図１は、本発明の一実施形態による小便器装置を示す側面断面図である。
【００１３】
図１に示すように、本発明の一実施形態に係る小便器装置１は、床面Ｆ上に配置される床置き式の小便器であり、陶器製の小便器本体２を備えており、この小便器本体２は、その背後の壁面Ｗに取付けられている。また、小便器装置１は、小便器本体２を洗浄するための洗浄水を吐水する自動洗浄ユニット４（機能部材）を備えている。
以下、小便器装置１の使用者の使用時における正面側（図１における左側）を前方側、その背面側（図１における右側）を後方側（奥側）、前方側から見て左側を左側、前方側から見て右側を右側として説明する。
【００１４】
つぎに、図１に示すように、小便器本体２は、正面側に形成されるボウル部６と、このボウル部６の底部に形成された排水口部８を備えている。この排水口部８の下方には、排水口８ａが形成されている。
また、ボウル部６は、その上端から下部に亘って下方ほど内側且つ奥行側（後方側）に位置するボウル面６ａを形成している。そして、このボウル面６ａの上下方向の中央付近から下方に形成されるボウル面下部６ｂは、後方側に向かって緩やかに湾曲状に張り出すような湾曲面を形成し、その下方且つ前方側の排水口部８まで延びた後、この排水口部８から排水口８ａに向かって緩やかな下り傾斜するように形成している。このようなボウル面下部６ｂにより、ボウル部６内の奥行空間が後方側に奥まっており、前後方向に広くなっている。そして、ボウル部６は、正面側壁部７の上端面７ｂからボウル面下部６ｂの上方のボウル面６ａを経てボウル面下部６ｂに亘って連続した曲面形状となっている。すなわち、正面側壁部７の上端面７ｂが小便器本体２の頂部まで形成されている。
【００１５】
さらに、小便器本体２のボウル部６のボウル面６ａを正面側に形成する正面側壁部７の背面側（裏側）且つ上方には、自動洗浄ユニット４が概ね収納されるボウル部後方収納室２０（収納室）が形成されている。このボウル部後方収納室２０の上方には、上蓋１０が小便器本体２に対して上方から着脱可能に取り付けられている。
【００１６】
つぎに、小便器本体２は、排水口８ａの下方に設けられた排水トラップ部１２と、排水口８ａに上方から取り付けられてボウル部６内と排水トラップ部１２内とを連通させる目皿（図示せず）を備えており、この排水トラップ部１２は、排水口８ａよりも下方（下流側）に溜水を貯留して封水を形成するようになっている。
【００１７】
さらに、図１に示すように、小便器本体２は、排水トラップ部１２の下方側（下流側）に設けられた排水ソケット１４を介して小便器本体２の外部の排水配管（図示せず）に接続される。
なお、本発明においては、排水ソケット１４については省略し、排水トラップ部１２の下方側（下流側）と排水配管（図示せず）とを直接的に接続するようにしてもよい。
【００１８】
つぎに、図１及び図２を参照して、本発明の一実施形態による小便器装置１の小便器本体２においてボウル部６と一体に形成されているボウル部後方収納室２０と、ボウル部後方収納室２０内の比較的小さな空間に内蔵される自動洗浄ユニット４とについて説明する。図２は本発明の一実施形態による小便器装置の上部を示す後方斜視図である。
【００１９】
図１に示すように、ボウル部後方収納室２０は、ボウル部６のさらに上方側に配置されるのではなく、ボウル部６の正面側壁部７の後方側（裏側）において、ボウル部６に洗浄水を供給する自動洗浄ユニット４を正面側壁部７の裏側に隠れるように収納するように形成されている。このように、ボウル部後方収納室２０は、ボウル部６と、背後の壁面Ｗとの間に形成された比較的狭い領域において、小便器装置１の洗浄動作に必要な自動洗浄ユニット４を収納できるようにコンパクトに形成されている。このようなボウル部後方収納室２０の前面は、正面側壁部７によって形成されている。正面側壁部７は、自身の上部に対して自身の下部が後方側に位置しており、やや下方向きの傾きを有している。
【００２０】
また、図２に示すように、ボウル部後方収納室２０は、その内部に、上下方向の略中央においてボウル部後方収納室２０の左側の内壁から右側へ向けて突出する支持部２１と、ボウル部後方収納室２０の前側の内壁から後方へ向けて突出する突出部２３と、を有する。突出部２３の上面は、ボウル部後方収納室２０の底面を形成する。
【００２１】
支持部２１の背面および突出部２３の背面、ボウル部後方収納室２０の底面の一部には、スポンジ部材３０（弾性部材）が取り付けられている。スポンジ部材３０の詳細は後述する。
【００２２】
ボウル部後方収納室２０に収納される自動洗浄ユニット４は、水道等の給水源から洗浄水を供給する給水配管１６（配管部材）と、給水配管１６が接続される止水栓２４と、止水栓２４の下流側に設けられる一次側給水管２２と、一次側給水管２２を開閉する給水バルブユニット２６と、ボウル部６の上部の正面側壁部７に配置され給水バルブユニット２６から供給される洗浄水をボウル部６に吐水する吐水部であるスプレッダ２８と、スプレッダ２８と給水バルブユニット２６とを接続する第１給水管部３２とを備えている。
【００２３】
給水配管１６は、全体として略Ｌ字状に形成され、ボウル部後方収納室２０における下方側且つ右側である給水位置Ｐから左方へ向けて延び、屈曲した上で、上方へと延びて止水栓２４と接続する。
【００２４】
給水バルブユニット２６は、一次側給水管２２と第１給水管部３２との間の流路を電気的に開閉できる電磁弁（図示せず）を有している。
給水バルブユニット２６は、ボウル部後方収納室２０の比較的小さく限られた空間の中で、スプレッダ２８の後方側且つ右側にずれた位置に配置されている。電磁弁は、スプレッダ２８の高さとほぼ同様の高さに配置されている。
【００２５】
スプレッダ２８は、ボウル部後方収納室２０内に配置される洗浄水の入口部に連通しボウル部６の正面側壁部７の裏側から表側まで直線的に延びている供給通路（図示せず）を備え、供給通路３３から供給される洗浄水をボウル部６の表面に沿わせ且つ拡散するように吐水する。
また、スプレッダ２８には、ボウル部６の前面に向けられ、使用者の有無を検知する人体検知センサ（図示せず）が取付けられている。
【００２６】
自動洗浄ユニット４は、さらに、スプレッダ２８の人体検知センサ（図示せず）からの検知信号及び所定の制御プログラム等に基づいて給水バルブユニット２６等を電気的に制御することができる制御ユニット３８を備えている。
制御ユニット３８は、支持部２１上に設けられ、スプレッダ２８の人体検知センサ（図示せず）からの検知信号及び所定の制御プログラム等に基づいて、給水バルブユニット２６を開閉制御し、洗浄水をスプレッダ２８からボウル部６に吐水させるようになっている。制御ユニット３８も、ボウル部後方収納室２０の比較的小さく限られた空間内に収納されている。
【００２７】
つぎに、図２及び図３を参照して、本発明の一実施形態によるスポンジ部材３０について説明する。図３は本発明の一実施形態による小便器装置の上蓋を取り外した状態の上部を示す平面視図である。
【００２８】
図２に示すように、スポンジ部材３０Ａ，３０Ｂ，３０Ｃが、それぞれ支持部２１の背面、突出部２３の背面、ボウル部後方収納室２０の底面の一部に設けられている。
図３に示すように、スポンジ部材３０Ａ，３０Ｂは、小便器本体２が設置された状態において小便器本体２と壁面Ｗとの間に位置しており、壁面Ｗからの圧力によって前後方向に潰されつつ小便器本体２と壁面Ｗとの間の隙間を埋めている。スポンジ部材３０Ｃは、ボウル部後方収納室２０の底面において上方に突出するように設けられており、落下衝撃によって跳ね上がった部品等が支持部２１の下方の空間に入り込まないようにブロックする役割を果たす。
【００２９】
上述した本発明の一実施形態による小便器装置１によれば、スポンジ部材３０Ａ，３０Ｂは、小便器本体２と壁面Ｗとの間に設けられ、ボウル部後方収納室２０に収納された自動洗浄ユニット４等の機能部材の少なくとも一部よりも下方に設けられている。したがって、スポンジ部材３０Ａ，３０Ｂが小便器本体２と壁面Ｗとの間で潰されつつ小便器本体２と壁面Ｗとの間の隙間を埋めているため、小便器本体２のボウル部後方収納室２０に収納した自動洗浄ユニット４等の機能部材や、ボルト等の固定具、工具等が、施行時やメンテナンス時に便器本体とトイレルームの壁面との隙間から下方へ落下してしまうことを抑制することができ、施工性およびメンテナンス性を向上させることができる。また、小便器本体２が壁面Ｗに衝突する前にスポンジ部材３０Ａ，３０Ｂが衝撃を吸収することで、小便器本体２や壁面Ｗに傷が付くことを抑制することができる。
【００３０】
また、上述した本発明の一実施形態による小便器装置１によれば、スポンジ部材３０Ａ，３０Ｂは、小便器本体２の背面（支持部２１の背面、突出部２３の背面）に設けられる。したがって、壁面Ｗに弾性部材を設ける場合に比べて、スポンジ部材３０Ａ，３０Ｂを正しい位置に設けやすくなる。
【００３１】
なお、本発明の一実施形態による小便器装置１においては、弾性部材としてスポンジ部材３０Ａ，３０Ｂを用いたが、本発明はこれに限らない。例えば、ゴム製の部材や粘土製の部材などを弾性部材として用いても良い。
【符号の説明】
【００３２】
１        小便器装置
２        小便器本体
４        自動洗浄ユニット（機能部材）
６        ボウル部
６ａ      ボウル面
６ｂ      ボウル面下部
７        正面側壁部
７ｂ      上端面
８        排水口部
８ａ      排水口
１０      上蓋
１２      排水トラップ部
１４      排水ソケット
１６      給水配管（配管部材）
２０      ボウル部後方収納室（収納室）
２１      支持部
２２      一次側給水管路
２３      突出部
２４      止水栓
２６      給水バルブユニット
２８      スプレッダ
３０      スポンジ部材（弾性部材）
３０Ａ    スポンジ部材（弾性部材）
３０Ｂ    スポンジ部材（弾性部材）
３０Ｃ    スポンジ部材
３２      第１給水管部
３８      制御ユニット
Ｆ        床面
Ｗ        壁面
Ｐ        給水位置
【図１】
2019203340.tif 000003
【図２】
2019203340.tif 000004
【図３】
2019203340.tif 000005